(57)【要約】【課題】凹凸屋根上を流れる雨水の屋外側への飛び出しを軽減した屋根構造を提案する。【解決手段】本発明は、屋根下地上に設けられた凹凸屋根材３と、凹凸屋根材３の軒側に設けられた面戸２とを備え、凹凸屋根材３が、下方に開口し上方に突出する凸部３０と、上方に開口し下方に凹む凹部３１とを軒に沿う方向に交互に有した屋根構造であって、面戸２は、凸部３０の軒側開口を覆う覆い部２１０と、凹部３１の軒側開口から排出された雨水をさらに屋外側に導く導水部２２とを有し、導水部２２は、凹部３１の底面部の軒側端部から屋外側程屋根勾配よりも急な下り傾斜で、屋外側に凸の弧状に湾曲した形状であり、その下端部が軒樋側を向くものとした。【選択図】図１
2014134040.tif 000002
【特許請求の範囲】
【請求項１】
屋根下地上に設けられた凹凸屋根材と、この凹凸屋根材の軒側に設けられた面戸とを備え、前記凹凸屋根材が、下方に開口し上方に突出する凸部と、上方に開口し下方に凹む凹部とを軒に沿う方向に交互に有した屋根構造であって、
前記面戸は、前記凸部の軒側開口を覆う覆い部と、前記凹部の軒側開口から排出された雨水をさらに屋外側に導く導水部とを有し、
前記導水部は、前記凹部の底面部の軒側端部から屋外側程屋根勾配よりも急な下り傾斜で、屋外側に凸の弧状に湾曲した形状であり、その下端部が軒樋側を向くものであることを特徴とする屋根構造。
【請求項２】
前記面戸は、前記覆い部の下端部の軒側端部から屋外側に突出する水受部を有し、
前記導水部は、前記軒に沿う方向における前記水受部の間に設けられたものであることを特徴とする請求項１記載の屋根構造。
【請求項３】
前記導水部は、前記軒に沿う方向における前記凹凸屋根材の全長に亘って設けられたものであることを特徴とする請求項１記載の屋根構造。
【発明の詳細な説明】
【技術分野】
【０００１】
本発明は、屋根構造に関する。
【背景技術】
【０００２】
特許文献１には折板屋根の端部に面戸が固定された屋根構造が開示されている。
【先行技術文献】
【特許文献】
【０００３】
【特許文献１】特開２０１０−３７８５４公報
【発明の概要】
【発明が解決しようとする課題】
【０００４】
ところで、特許文献１等の屋根構造にあっては、雨水が屋根材の上面（屋根面）を軒側に向けて流れた際に、この雨水が屋根材の軒側端部から屋外側に大きく飛び出す可能性がある。そして、従来の屋根構造では、前述のように雨水が屋外側に大きく飛び出すと、軒から離れた箇所に雨水がかかる恐れがあり、また雨水が軒樋で受けきれずに軒下に居る人にかかる恐れがある。
【０００５】
本発明は、これら事情に鑑みてなされたものであって、凹凸屋根上を流れる雨水の屋外側への飛び出しを軽減した屋根構造を提供することを課題とする。
【課題を解決するための手段】
【０００６】
前記課題を解決するために本発明は、屋根下地上に設けられた凹凸屋根材と、この凹凸屋根材の軒側に設けられた面戸とを備え、前記凹凸屋根材が、下方に開口し上方に突出する凸部と、上方に開口し下方に凹む凹部とを軒に沿う方向に交互に有した屋根構造であって、前記面戸は、前記凸部の軒側開口を覆う覆い部と、前記凹部の軒側開口から排出された雨水をさらに屋外側に導く導水部とを有し、前記導水部は、前記凹部の底面部の軒側端部から屋外側程屋根勾配よりも急な下り傾斜で、屋外側に凸の弧状に湾曲した形状であり、その下端部が軒樋側を向くものであることを特徴とする。
【０００７】
また、前記面戸は、前記覆い部の下端部の軒側端部から屋外側に突出する水受部を有し、前記導水部は、前記軒に沿う方向における前記水受部の間に設けられたものであることが好ましい。
【０００８】
また、前記導水部は、前記軒に沿う方向における前記凹凸屋根材の全長に亘って設けられたものであることが好ましい。
【発明の効果】
【０００９】
本発明は、屋根面（凹凸屋根材の上面）に沿って軒側に向けて流れた雨水が、導水部に沿って流れる際に、導水部や凹凸屋根材と導水部との間等に角を有する場合のように前記雨水が前記角から飛び出すことを抑制することができる。これによって、本発明は、前記雨水の屋外側への飛び出しを軽減することができる。
【図面の簡単な説明】
【００１０】
【図１】第一実施形態の面戸と凹凸屋根材の斜視断面図である。
【図２】同上の面戸と凹凸屋根材の上方側から視た斜視図である。
【図３】同上の面戸と凹凸屋根材の下方側から視た斜視図である。
【図４】第一実施形態の屋根構造の軒側を示す側断面図である。
【図５】同上の屋根構造の斜視図である。
【図６】第二実施形態の屋根構造の軒側を示す側断面図である。
【発明を実施するための形態】
【００１１】
以下、本発明を添付図面に基づいて説明する。
【００１２】
〈第一実施形態〉
本実施形態の屋根構造は、例えば図５に示すように、片流れ屋根を有する建物１に適用される。以下では、傾斜した屋根面に沿って軒と棟を結ぶ矢印Ｄ１に示す方向（屋根勾配に沿った方向）を、軒棟方向とし、軒に沿う矢印Ｄ２に示す方向を、軒方向として説明する。
【００１３】
建物１軒側の外壁の上端部には、図４に示すように、軒部１０が形成されており、軒部１０は、屋外側（棟と反対側）に向けて突出する。軒部１０の屋外側端部は、鼻隠し１１（鼻板）で形成されており、鼻隠し１１は略垂直に設けてある。
【００１４】
建物１の屋根下地は、例えば野地板１２となっており、野地板１２は、垂木等の構造躯体上に設けられる。野地板１２は、棟側から軒側に向けて一様な角度で下り傾斜しており、屋根勾配（軒棟方向）と平行となっている。野地板１２の軒側端部は、鼻隠し１１よりも屋外側に突出する。
【００１５】
野地板１２上には、図４に示すように、複数の凹凸屋根材３が載置される。各凹凸屋根材３は、軒方向に並べて（隣り合って）配置される。各凹凸屋根材３の軒側端部は、軒棟方向において野地板１２の軒側端部よりも屋外側に突出する。そして、各凹凸屋根材３は、例えば鋼板製となっている。なお、各凹凸屋根材３は、鋼板以外の金属板で形成してもよく、また、その材質は金属に限定されるものではない。
【００１６】
各凹凸屋根材３は、図２や図３に示すように、下方に開口し上方に突出する凸部３０と、上方に開口し下方に凹む凹部３１とを有する。凸部３０と凹部３１とは、軒方向に交互に並んで形成される。
【００１７】
各凸部３０の側面部は、隣接する凹部３１の側面部を兼ねており、この側面部は凸部３０の天面部や凹部３１の底面部に対して略直交している。各凸部３０の幅及び各凹部３１の幅は各々、軒棟方向において一様となっている。
【００１８】
このため、本実施形態の屋根構造は、その屋根面が複数の凹凸屋根材３で形成されており、凹凸形状の屋根面となっている。言い換えると、凹凸屋根材３は、その上面が屋根面となっている。そして、本実施形態では、図５に示すように、前記屋根面上に機能パネルが設けてあり、この機能パネルは、例えば太陽光発電パネル５となっている。
【００１９】
また、軒方向において隣り合う凹凸屋根材３は、連結具（図示せず）を介して連結される。この連結具は、例えばビスや釘等の固着具を用いた固着によって、野地板１２に固定される。これによって、各凹凸屋根材３は、野地板１２に対して固定される。更に、前記連結具には、カバー部材が取り付けてあり、このカバー部材は、前記隣り合う凹凸屋根材３の間の部分、及びこの部分に設けた前記連結具を覆う。
【００２０】
また、野地板１２の軒側端部には、面戸２が設けてある。面戸２は、軒方向に長尺となっており、例えば鋼板製となっている。なお、面戸２は、鋼板以外の金属板で形成してもよく、また、その材質は金属に限定されるものではない。更に、面戸２は、図１に示すように、板状部２０と、凸部３０と同数（複数）で対応する凸部３０の軒側開口を覆う閉塞部２１と、凹部３１と同数（複数）の導水部２２とを有する。
【００２１】
板状部２０は、矩形状に形成されており、軒方向に長尺となっている。板状部２０は、その棟側部分に、固定部２００を有する。固定部２００は、野地板１２に載置される。特に図示しないが、固定部２００は、ビスや釘等の固着具を用いた固着、或いは接着剤を用いた接着等によって、野地板１２の軒側端部に固定される。そして、板状部２０上には、図４に示すように、凹凸屋根材３の軒側部分が載置される。言い換えると、各凹凸屋根材３は、その軒側部分が、固定部２００を介して、野地板１２に載置される。
【００２２】
更に、板状部２０の軒側部分は、固定部２００（凹凸屋根材３の軒側端部）より屋外側に突出して位置する。そして、図３に示すように、板状部２０は、その軒側部分のうち、各凸部３０の屋外側に位置する部位に夫々、水抜き孔２０１を有する。各水抜き孔２０１は、対応する凸部３０毎に設けてあり、板状部２０の板面に貫通して形成される。このため、各凸部３０の内部空間等を流れる雨水は、対応する水抜き孔２０１から下方に流れ落ちる。
【００２３】
また、図２に示すように、板状部２０の軒側部分は、その屋外側端部に、複数の閉塞部２１と複数の導水部２２とが形成されており、閉塞部２１の水受部２１４（詳細は後述する）と導水部２２とは、軒方向において交互に並ぶ。
【００２４】
各閉塞部２１は、図１に示すように、板状部２０に立設される。各閉塞部２１は、覆い部２１０と、押さえ部２１３と、水受部２１４とを有する。覆い部２１０は、屋外側の面（軒棟方向側の面）となる前面部２１１と、両側の面（軒方向側の面）となる側面部２１２とを有する。
【００２５】
前面部２１１は、板状に形成されており、板状部２０の軒側端部から立ち上がる。そして、前面部２１１は、上方程棟側に位置するように傾斜しており、板状部２０との成す角度が、例えば鋭角となっている。このため、前面部２１１は、面戸２を施工したときに屋根勾配よりも急な傾斜で屋外側に向けて下り傾斜する。
【００２６】
両側面部２１２は、板状部２０から立ち上げて設けてあり、板状部２０に対して直交する向きで上方に突出する。そして、両側面部２１２は、前面部２１１の側端部と板状部２０の間を閉塞する。このため、覆い部２１０は、棟側に開口した箱形状となっている。
【００２７】
そして、軒棟方向において、各覆い部２１０の棟側開口には、対応する凸部３０の軒側開口を対向させて配置される。これによって、各覆い部２１０は、対応する凸部３０の軒側開口を覆う。更に、前面部２１１の上端部は、対応する凸部３０の天面部の軒側端部よりも上方に突出する。このため、各凸部３０の天面部上を軒側に向けて流れる雨水は、前記天面部の軒側端部に至ると、例えば図１中の矢印ａｒ２や矢印ａｒ３で示すように、対応する前面部２１１の上端部によって、その流れる向きが変更されたり、堰き止められたりする。
【００２８】
押さえ部２１３は、前面部２１１の上端部に接続されており、この上端部から棟側に向けて突出する。そして、押さえ部２１３は、片状に形成されており、その片の板面が、板状部２０の板面と略平行となっている。
【００２９】
水受部２１４は、図１に示すように、板状部２０の屋外側端部に接続されており、この屋外側端部から屋外側に向けて突出する。そして、水受部２１４は、板状部２０から延出した片部となっており、板状部２０の前記屋外側端部（前面部２１１の立ち上がり部位）から棟と反対側（屋外側）に向けて突出する。また、水受部２１４は、軒方向に長尺な矩形板状に形成されており、水受部２１４の軒方向における寸法は、覆い部２１０の軒方向における寸法と略同寸になっている。
【００３０】
各導水部２２は、棟側に凹んだ溝状に形成されており、軒方向において水受部２１４の間に夫々設けてある。そして、各導水部２２は、溝底が屋外側程下向きに傾斜しており、上方及び屋外側に開口した形状となっている。言い換えると、各導水部２２は、溝底を形成する奥片部２２１と、溝の両側を形成する各側片部２２２とを有する。
【００３１】
奥片部２２１は、板状部２０の屋外側端部に接続されており、この屋外側端部から屋外側に向けて突出する。そして、奥片部２２１は、軒方向において、その両側に位置する水受部２１４の間に亘って設けてある。
【００３２】
また、奥片部２２１は、屋外側程屋根勾配よりも急な下り傾斜となるように、弧状に湾曲している。言い換えると、奥片部２２１は、下向きに傾斜して板状部２０から屋外側に突出して形成されており、その傾斜が、屋外側に凸の弧状に湾曲している。そして、奥片部２２１は、その屋外側の端部（下端部）が、下方を向いている。このため、各凹部３１の底面部上を棟側から軒側に向けて流れる雨水は、この底面部の軒側端部（軒側開口の下端縁）から対応する導水部２２に流れ、この後、導水部２２の前記下端部から流れ落ちる（下方側に排出される）。
【００３３】
各側片部２２２は、対応する水受部２１４の側端部から垂下して形成される。そして、各側片部２２２は、その下端が、奥片部２２１に接続される。言い換えると、各側片部２２２は、対応する水受部２１４の側端部と、この側端部の下方に位置する奥片部２２１の対応する側端部との間に亘って設けてある。
【００３４】
また、図４に示すように、押さえ部２１３と板状部２０との間には、各凸部３０の軒側端部が位置する。このため、固定部２００は、野地板１２と凹部３１の底面部との間に挟まれて固定される。
【００３５】
この状態において、押さえ部２１３は、対応する凸部３０の天面部の軒側端部に載置される。このため、凹凸屋根材３は、風等を要因として野地板１２から浮き上がろうとしたとき、押さえ部２１３によって押さえられる。
【００３６】
そして、この状態において、各閉塞部２１は、対応する凸部３０の屋外側に配置されて、凸部３０の軒側開口を覆う。これによって、各凸部３０は、その内部（凸部３０の内部空間）への雨水や小鳥、虫等の侵入が抑制される。
【００３７】
また、軒部１０の屋外側には、軒樋４が設けてあり、軒樋４は軒部１０に沿って長尺に配置される。軒樋４は、取付具４２を介して、鼻隠し１１に取り付けてある。軒樋４は、長手方向に直交する向き（建物１外壁に直交する屋内外方向）で切断した断面形状が、上方に開口する矩形Ｕ字状となっている。そして、面戸２の各水受部２１４の屋外側端部、及び各導水部２２の下端部（奥片部２２１の下端部）は、屋内外方向において、軒樋４の両側の壁部４１の間（Ｕ字の内側空間の上方）に位置する。このため、各水受部２１４の屋外側端部や各導水部２２の下端部から流れ落ちた雨水は、軒樋４で受けられるようになっている。
【００３８】
ところで、本実施形態のような凹凸形状の屋根構造において、その屋根面に降った雨水は、各凸部３０の天面部上を流れる雨水の一部（例えば図１中の矢印ａｒ２参照）が、凹部３１側に流れ込む。このため、各凹部３１の底面部の軒側端部に流れる雨水（各凹部３１の軒側から排出される雨水）の流量が、各凸部３０の天面部の軒側端部に流れる雨水（各凸部３０の軒側から排出される雨水）の流量に比べて、多くなり易い。
【００３９】
そして、本実施形態では、各導水部２２が、図１や図４に示すように、対応する凹部３１の軒側端部の下側に配置される。奥片部２２１は、その上端部が板状部２０に連続する。このため、各凹部３１の軒側から排出される雨水は、対応する導水部２２（奥片部２２１）に流れ込み易くなっている。そして、この雨水は、湾曲した奥片部２２１や両側片部２２２に沿って屋外側に導かれ、奥片部２２１の屋外側の端部（下端部）から軒樋４側に流れ落ちる（排出される）。
【００４０】
更に、各導水部２２は、屋外側程屋根勾配よりも急な下り傾斜で、屋外側に凸の弧状に湾曲した形状となっている。このため、例えば図１に示すように、各凹部３１を流れる雨水（図中の矢印ａｒ１参照）は、対応する導水部２２に流れ込むことで、その流れる向きを、軒棟方向（屋根勾配）に沿った向きから、緩やかに下向きに変更される。言い換えると、各凹部３１の軒側から排出される雨水は、例えば図１中の矢印ａｒ５で示すように、対応する導水部２２（奥片部２２１）に沿って流れることで、緩やかに方向を変えながら導水部２２（奥片部２２１）の下端部から排出される。
【００４１】
このため、前記雨水は、各導水部２２に沿って流れる際に、導水部２２や凹凸屋根材３と導水部２２との間等に角を有する場合に生じるような前記角からの飛び出しを抑制することができる。すなわち、本実施形態では、奥片部２２１に前記角の無い導水部２２を備えたことで、屋根面の軒側から排出される雨水の多数を占め易い凹部３１から排出される雨水に対して、凹凸屋根材３や面戸２等からの屋外側への大きな飛び出しを抑制することができる。これによって、本実施形態では、雨水の屋根面から屋外側への飛び出しを軽減することができる。更に、奥片部２２１の下端部が軒樋４側を向くため、各導水部２２は、屋外側から排出する雨水を軒樋４に導入し易くなっている。
【００４２】
そして、各凸部３０の天面部の軒側から排出される雨水の一部は、例えば図１中の矢印ａｒ２で示すように、隣接する凹部３１に流れ込み、対応する導水部２２に沿って流れて、屋外側に排出される。また、各凸部３０の天面部の軒側から排出される雨水の一部は、この天面部の軒側端部と押さえ部２１３との間から、各凸部３０の内部空間に連通した覆い部２１０の内部空間（覆い部２１０の箱内）に流れ込む。この流れ込んだ雨水は、例えば図３中の矢印ａｒ４で示すように、対応する水抜き孔２０１から流れ落ちる（下方側に排出される）。
【００４３】
また、前記雨水が押さえ部２１３を乗り越えた場合（例えば図１中の矢印ａｒ３参照）、この雨水は、対応する覆い部２１０の屋外側の面を伝って水受部２１４の上面に至り、水受部２１４の屋外側端部から屋外側に流れ落ちる（排出される）。このため、本実施形態では、押さえ部２１３を乗り越えた雨水が屋外側に大きく飛び出すことを抑制することができて、雨水の屋外側への飛び出しを軽減し易くすることができる。
【００４４】
更に、本実施形態では、前面部２１１の上端部を凸部３０の軒側端部より上方に突出させたことで、雨水が各凸部３０の天面部上を軒側に流れる際に、その雨水を凹部３１側や覆い部２１０内側に導き易くすることができる。このため、本実施形態では、押さえ部２１３を乗り越えて排出される雨水を生じ難くすることができて、雨水の屋外側への飛び出しを軽減し易くすることができる。
【００４５】
〈第二実施形態〉
次に第二実施形態について説明する。なお、第二実施形態の説明では、第一実施形態と同一の構成については同一の符号を付与して、重複する説明は省略する。
【００４６】
本実施形態では、図６に示すように、各覆い部２１０において、前面部２１１が、板状部２０に対して直交して立ち上がる。
【００４７】
そして、各導水部２２は、板状部２０の軒側端部の軒方向における全長に亘って形成される。言い換えると、各水受部２１４は、各導水部２２と同じ形状に形成される。このため、各水受部２１４は、屋外側程屋根勾配よりも急な下り傾斜で、屋外側に凸の弧状に湾曲した形状となっており、その下端部が軒樋４側を向く。
【００４８】
これによって、本実施形態では、前記雨水が各導水部２２に沿って流れる際に、凹部３１から排出される雨水の前記角からの飛び出しを抑制することができて、雨水の屋根面から屋外側への飛び出しを軽減することができる。
【００４９】
そして、本実施形態では、前面部２１１を板状部２０に直交して設けたことで、板状部２０の軒側端部を凹凸屋根材３の軒側端部に近接して配置することができる。言い換えると、本実施形態では、板状部２０の屋外側への突出量を抑えることができる。
【００５０】
このため、本実施形態では、雨水が飛び出す位置を屋内側に近づけることができて、飛び出した際の雨水の屋根面（軒部１０）からの被散距離を抑えることができる。これによって、本実施形態では、雨水の屋根面からの飛び出しを軽減し易くすることができる。
【００５１】
なお、本発明は、片流れ屋根だけではなく、切妻屋根等のその他の形状の屋根にも適用可能である。また、本発明は、前面部２１１を傾斜して設けた場合において、水受部２１４を屋外側に凸の弧状に湾曲した形状とする等で、導水部２２を板状部２０の軒方向における全長に亘って形成してもよい。また、本発明は、前面部２１１を板状部２０から直交して立ち上げて設けた場合において、水受部２１４を板状部２０と平行に突出して形成してもよい。また、本発明は、前述の各実施形態にのみ限定されるものではなく、要旨を逸脱しない範囲内で適宜変更して実施し得るものである。
【符号の説明】
【００５２】
２  面戸
２１  閉塞部
２１０  覆い部
２１４  水受部
２２  導水部
２２１  奥片部
３  凹凸屋根材
３０  凸部
３１  凹部
【図１】
2014134040.tif 000003
【図２】
2014134040.tif 000004
【図３】
2014134040.tif 000005
【図４】
2014134040.tif 000006
【図５】
2014134040.tif 000007
【図６】
2014134040.tif 000008